(57)【要約】【課題】夜間の地震発生時などに自動的に照明を点灯させるだけではなく、夜間の地震発生時などに、電源を心配することなく照明部を携行して安全に避難したり、避難用具を探すことができる地震警報装置を提供する。【解決手段】本地震警報装置は、振動センサ２１と、照明部４０と、電源部５０とを有している。照明部４０は、装置本体に着脱可能であると共に、電源部５０から外部電源を介して充電可能な第２のバッテリ４５を備えており、装置本体から取り外しされているときは、任意の操作に基づいて、第２のバッテリ４５から電源を供給することによって発光する。【選択図】図２
2014238356.tif 000002
【特許請求の範囲】
【請求項１】
地震を検出する振動センサと、
前記振動センサの検出信号に基づいて、避難補助および警報として発光する照明部と、
外部電源に基づいて装置に電源を供給する電源部とを有し、
前記電源部は、外部電源から充電可能な第１のバッテリを備え、外部電源の停電時には前記第１のバッテリから装置に電源を供給する地震警報装置であって、
前記照明部は、装置本体に着脱可能であると共に、外部電源から前記電源部を介して充電可能な第２のバッテリを備えており、装置本体から取り外しされているときは、任意の操作に基づいて、前記第２のバッテリから電源を供給することによって発光することを特徴とする地震警報装置。
【請求項２】
前記振動センサの検出信号に基づいて少なくとも音声による警報を出力する警報出力部をさらに有する請求項１に記載の地震警報装置。
【請求項３】
前記振動センサは、検出した地震の震度をも検出するものであり、
前記照明部および前記警報出力部は、前記振動センサが検出した震度が予め設定された最低震度以上であるときに、発光および警報出力を行うものであり、
前記警報出力部は、少なくとも音声として、前記最低震度以上の地震が発生した旨をも含む警報メッセージを出力する請求項２に記載の地震警報装置。
【請求項４】
前記警報出力部は、外部電源の停電時に、少なくとも音声として、停電が起こった旨をも含む警報メッセージを出力する請求項２または３に記載の地震警報装置。
【請求項５】
前記振動センサの検出信号に基づいて、警報を表す信号を無線送信する警報送信部をさらに有する請求項１乃至４のいずれか一項に記載の地震警報装置。
【請求項６】
請求項５に記載の地震警報装置から送信された警報を表す信号を受信する警報受信部と、
前記警報受信部の受信信号に基づいて、避難補助および警報として発光する第２の照明部と、
ユニットに電源を供給する、外部電源から充電可能な第３のバッテリを備えた第２の電源部とを有し、
前記第２の照明部は、任意の操作に基づいて発光することを特徴とする携行用受信ユニット。
【請求項７】
請求項５に記載の地震警報装置を親機として有すると共に、請求項６に記載の携行用受信ユニットを子機として有する地震警報システム。
【発明の詳細な説明】
【技術分野】
【０００１】
本発明は、地震発生時に使用者に対して警報を発する地震警報装置に関する。
【背景技術】
【０００２】
地震が発生した場合に、当該地震を振動センサによって検出するか、あるいは、当該地震に関する緊急地震速報を緊急地震速報受信部によって受信し、検出結果あるいは受信結果に基づく震度等の情報や、注意喚起や避難を促す警報を、音声や表示で使用者に対して報知する地震警報装置が知られている。
【０００３】
尚、この種の地震警報装置のうち、商用電源を用いた地震警報装置は、地震発生によって停電となる可能性があることに備え、バッテリを備えた補助電源装置の類を装備しているものもある。
【０００４】
ところで、夜間に地震が発生したときなど、地震警報装置の設置されている環境が暗く、なおかつ、使用者がとっさの地震で既存の照明器具を点灯させることに気が回らなかったり、あるいは、地震によって停電が起こり照明器具を使うことができないことが想定される。この場合、地震警報装置によって注意喚起や避難を促す警報を発したとしても、使用者は、部屋の中が暗いため、防災用品の保管場所や避難口がどこにあるのか分からなかったり、地震によって倒壊した家財や飛散したガラス片等が見えず防災用品の保管場所や避難口に進むことが危険であるという問題があった。この問題への解法として、地震の発生時に自動的に、避難補助として、照明を点灯させる機能を有する地震警報装置の類が、例えば、特許文献１〜３に開示されている。
【０００５】
特許文献１には、地震を検出する振動センサと、蓄電手段とを有する照明灯が開示されている。
【０００６】
特許文献２には、地震を検出する振動センサとしての加速度センサと、ＬＥＤライトおよび停電用ＬＥＤライトを備えたＬＥＤ照明回路と、充電器および蓄電池を備えた無停電電源装置とを有する緊急用照明装置が開示されている。
【０００７】
特許文献３には、地震を検出する振動センサと、音声手段と、表示手段と、照明手段と、バッテリを備えた電源手段とを有する家庭用小型地震計が開示されている。
【０００８】
特許文献１〜３に開示された技術は、地震発生時に自動的に照明を点灯させることが可能であり、しかも、蓄電手段、無停電電源装置、あるいはバッテリを有しているため、地震によって停電が起こったとしても、照明を点灯させることができる。
【先行技術文献】
【特許文献】
【０００９】
【特許文献１】特開平９−９３８３２号公報
【特許文献２】実用新案第３１７１６５８号公報
【特許文献３】実用新案第３１０９９８５号公報
【発明の概要】
【発明が解決しようとする課題】
【００１０】
ところで、上記のような地震警報装置の類が、夜間の地震発生時に自動的に照明を点灯させたとしても、防災用品の保管場所や避難口が地震警報装置類とは別の部屋に在ったり、離れた場所に在る場合もある。その場合は、結局、使用者は、まず懐中電灯などの持ち運びができる照明器具を探し出し、これを用いて足元を照らしながら防災用品の保管場所や避難口に向かう必要がある。
【００１１】
このような実情に対し、特許文献１、２には、懐中電灯などの持ち運びができる照明器具について、何等言及されていない。
【００１２】
また、特許文献３には、その請求項４や段落００５３に、家庭用小型地震計がバッテリを用いた懐中電灯機能を有してもよい旨が記載されているものの、特許文献３に開示された家庭用小型地震計が基本的に有している照明手段との関係や、懐中電灯機能を実行するための構成、例えば、家庭用小型地震計のうち家庭に固定設置したままの部位と、持ち運びする部位との区別が示されておらず、また、持ち運びする部位の電源を如何にして供給するかについても開示はもとより示唆すらされていない。
【００１３】
それ故、本発明の課題は、夜間の地震発生時などに自動的に照明を点灯させるだけではなく、夜間の地震発生時などに、電源を心配することなく照明部を携行して安全に避難したり、避難用具を探すことができる地震警報装置を提供することである。
【課題を解決するための手段】
【００１４】
本発明によれば、地震を検出する振動センサと、前記振動センサの検出信号に基づいて、避難補助および警報として発光する照明部と、外部電源に基づいて装置に電源を供給する電源部とを有し、前記電源部は、外部電源から充電可能な第１のバッテリを備え、外部電源の停電時には前記第１のバッテリから装置に電源を供給する地震警報装置であって、前記照明部は、装置本体に着脱可能であると共に、外部電源から前記電源部を介して充電可能な第２のバッテリを備えており、装置本体から取り外しされているときは、任意の操作に基づいて、前記第２のバッテリから電源を供給することによって発光することを特徴とする地震警報装置が得られる。
【００１５】
また、本発明によれば、前記振動センサの検出信号に基づいて、警報を表す信号を無線送信する警報送信部をさらに有する前記地震警報装置が得られる。
【００１６】
さらに、本発明によれば、前記地震警報装置から送信された警報を表す信号を受信する警報受信部と、前記警報受信部の受信信号に基づいて、避難補助および警報として発光する第２の照明部と、ユニットに電源を供給する、外部電源から充電可能な第３のバッテリを備えた第２の電源部とを有し、前記第２の照明部は、任意の操作に基づいて発光することを特徴とする携行用受信ユニットが得られる。
【００１７】
さらにまた、本発明によれば、前記地震警報装置を親機として有すると共に、前記携行用受信ユニットを子機として有する地震警報システムが得られる。
【発明の効果】
【００１８】
本発明による地震警報装置は、夜間の地震発生時などに自動的に照明を点灯させるだけではなく、夜間の地震発生時などに、電源を心配することなく照明部を携行して安全に避難したり、避難用具を探すことができる。
【図面の簡単な説明】
【００１９】
【図１】本発明による地震警報装置の概略的なブロック図である。
【図２】本発明の実施例１に係る地震警報装置を示すブロック図である。
【図３】本発明の実施例１に係る地震警報装置の外観を示す斜視図である。
【図４】本発明の実施例１に係る地震警報装置における照明部を後方から見た背面図である。
【図５】本発明の実施例１に係る地震警報装置における照明部の照明操作ボタンを示す平面図である。
【図６】本発明の実施例１に係る地震警報装置における制御部のＡ／Ｄ変換器の信号処理を説明するための図である。
【図７】本発明の実施例２に係る地震警報装置を示すブロック図である。
【図８】本発明の実施例３に係る地震警報装置携行用受信ユニットの概略的なブロック図である。
【発明を実施するための形態】
【００２０】
本発明に係る地震警報装置は、地震を検出する振動センサと、振動センサの検出信号に基づいて、避難補助および警報として発光する照明部と、外部電源に基づいて装置に電源を供給する電源部とを有している。電源部は、外部電源から充電可能な第１のバッテリを備え、外部電源の停電時には第１のバッテリから装置に電源を供給する。
【００２１】
特に、本地震警報装置において、照明部は、装置本体に着脱可能であると共に、電源部を介して外部電源から充電可能な第２のバッテリを備えており、装置本体から取り外しされているときは、任意の操作に基づいて、第２のバッテリから電源を供給することによって発光する。
【００２２】
上記構成により、本地震警報装置は、夜間の地震発生時などに自動的に照明を点灯させるだけではなく、夜間の地震発生時などに、電源を心配することなく照明部を携行して安全に避難したり、避難用具を探すことができる。即ち、照明部を装置から取り外して懐中電灯として使用できるため、地震発生後に停電状態となっても、バッテリの充電が切れるまで使用可能である。また、装置本体もバッテリ駆動が可能であるため、地震発生によって停電が起こったとしても、動作が可能である。
【実施例１】
【００２３】
以下、図面を参照して、本発明に係る地震警報装置のより具体的な実施例を説明する。
【００２４】
図１を参照すると、本発明の実施例１による地震警報装置１００は、地震を検出する振動センサを備えた振動検出部２０と、振動検出部２０の検出信号に基づいて、避難補助および警報として発光する照明部４０と、ＡＣアダプタ３００を介した商用電源に基づいて装置に電源を供給する電源部５０と、振動検出部２０の検出信号に基づいて少なくとも音声による警報を出力する警報出力部３０と、装置の動作全般を制御する制御部１０とを有している。
【００２５】
電源部５０は、ＡＣアダプタ３００を介した商用電源から充電可能なリチウムイオン電池等の第１のバッテリ５３を備え、ＡＣアダプタ３００を介した商用電源の停電時には第１のバッテリ５３から装置に電源を供給する。
【００２６】
特に、本地震警報装置１００において、照明部４０は、装置本体に着脱可能であると共に、ＡＣアダプタ３００を介した商用電源から電源部５０を介して充電可能なリチウムイオン電池等の第２のバッテリ４５を備えており、照明部４０が装置本体に装着されているときは、電源部５０から電源が供給されると共に第２のバッテリ４５の充電が行われる一方、照明部４０が装置本体から取り外しされているときは、任意の操作に基づいて、第２のバッテリ４５から電源を供給することによって発光する。即ち、充電式電池を備えた懐中電灯と同様に動作する。
【００２７】
さらに図２〜図５をも参照すると、振動検出部２０は、圧電型加速度センサ等から成る振動センサ２１と、アンプ２２とを備えている。照明部４０は、発光素子としてのＬＥＤ４１と、ＬＥＤ駆動回路４２と、論理回路４３と、照明操作ボタン４４と、第２のバッテリ４５と、照明部４０が装置本体に接続されているときに装置本体側と電気的接続をなす接続端子４６とを備えている。電源部５０は、ＡＣアダプタ３００の出力プラグと嵌合するＤＣジャック５１と、バッテリ制御部５２と、第１のバッテリ５３と、照明部４０が装置本体に接続されているときに照明部側と電気的接続をなす接続端子５４とを備えている。警報出力部３０は、メッセージ記憶部３１と、Ｄ／Ａ変換器３２と、アンプ３３と、スピーカ３４とを備えている。制御部１０は、Ａ／Ｄ変換器１２と、ＣＰＵ（Central Processing Unit）１１と、照明部４０が装置本体に接続されているときに照明部側と電気的接続をなす接続端子５４とを備えている。尚、制御部１０および電源部５０の双方に接続端子５４が備えられているが、制御部１０の接続端子５４は制御信号用端子、電源部５０の接続端子５４は電源用端子である。
【００２８】
図２を参照すると、振動検出部２０の振動センサ２１は、地震による振動を検出し、振動を検出した場合、振動に応じたアナログ波形を出力する。アンプ２２は、振動センサ２１から出力されたアナログ信号を増幅し、制御部１０に出力する。
【００２９】
制御部１０のＡ／Ｄ変換器１２は、アンプ２２を介して振動センサ２１から入力されたアナログ信号を、予め設定された基準値と比較し、デジタル信号に変換してＣＰＵ１１に出力する。ＣＰＵ１１は、Ａ／Ｄ変換器１２から出力されたデジタル信号を基に、次に示す２つの処理を実行する。
【００３０】
第１の処理は、警報出力部３０のメッセージ記憶部３１から、ここに予め記憶された警報等のメッセージに相当する音声データ（デジタル信号）を読み込み、同じく警報出力部３０のＤ／Ａ変換器３２に出力する。Ｄ／Ａ変換器３２は、入力されたデジタル信号をアナログ信号に変換し、アンプ３３に出力する。アンプ３３は、入力されたアナログ信号を増幅し、スピーカ３４に出力する。スピーカ３４は、入力されたアナログ信号をメッセージ音声として出力する。
【００３１】
第２の処理は、ＣＰＵ１１は、接続端子５４および接続端子４６を介して、照明部４０の論理回路４３に検出信号を出力する。論理回路４３は、検出信号によりＬＥＤ駆動部４２に対し、駆動ＯＮ信号を出力する。ＬＥＤ駆動部４２は、第１のバッテリ５３から電源供給され、駆動ＯＮ信号により、ＬＥＤ４１に電圧を出力する。ＬＥＤ４１は、電圧が駆動されたことにより、点灯する。
【００３２】
本地震警報装置１００の電源については、ＡＣアダプタ３００がＤＣジャック５１に接続され、ＤＣ電圧が供給される。ＤＣ電圧は、ＤＣジャック５１を経由してバッテリ制御部５２に供給される。バッテリ制御部５２は、第１のバッテリ５３および第２のバッテリ４５の充電状況を監視し、電源出力を制御する。バッテリ制御部５２と第２のバッテリ４５との間の接続は、照明部４０が装置本体から取り外しできるように接続端子５４および接続端子４６を介して接続されている。
【００３３】
本地震警報装置１００において、装置外部のＡＣアダプタ３００はＤＣジャック５１と接続されており、ＡＣアダプタ３００からＤＣ電源が供給される。バッテリ制御部５２は、第１のバッテリ５３および第２のバッテリ４５と接続しており、各バッテリの充電状況を監視し、その情報を基にＤＣ電源の供給を制御する。また、バッテリ制御部５２は、制御部１０のＣＰＵ１１と接続されており、Ｉ２Ｃと呼ばれるシリアル通信でバッテリの充電状況を報知する。
【００３４】
次に、本地震警報装置１００の動作を説明する。
【００３５】
図２を参照すると、振動検出部２０の振動センサ２１は、振動を感知すると、振動の大きさに比例したアナログ信号を出力する。アンプ２２は、設定した増幅率に基づき、アナログ信号を増幅して制御部１０に出力する。
【００３６】
制御部１０のＡ／Ｄ変換器１２に入力されたアナログ信号は、図６に示されるように、予め設定された基準値と比較され、この基準値より低い場合は、ＣＭＯＳレベルの“Ｌｏｗ”としてＣＰＵ１１にデジタルデータとして出力される。
【００３７】
図２を参照すると、ＣＰＵ１１は、Ａ／Ｄ変換器１２からＣＭＯＳレベルの“Ｌｏｗ”が入力されると、以下の２つの処理を実行する。
【００３８】
第１の処理は、警報出力部３０のメッセージ記憶部３１に予め記憶された警報等のメッセージに相当する音声データ（デジタル信号）を読み込み、ＣＭＯＳレベルのデジタルデータを出力する。警報出力部３０のＤ／Ａ変換器３２は、入力されたデジタルデータをアナログ信号に変換し、アンプ３３に出力する。スピーカ３４は、入力されたアナログ信号を音声として出力する。
【００３９】
第２の処理は、照明部４０の論理回路４３にＣＭＯＳレベルの“Ｈｉｇｈ”となるデジタル信号を出力する。論理回路４３は、ＯＲ回路を構成しており、制御部１０のＣＰＵ１１からの入力が“Ｈｉｇｈ”となったことにより、ＣＭＯＳレベルの“Ｈｉｇｈ”となるデジタル信号を出力する。ＬＥＤ駆動部４２は、第１のバッテリ５３から供給されている電源を、論理回路４３からの“Ｈｉｇｈ”入力によって、ＬＥＤ４１を駆動するための電圧を出力する。ＬＥＤ４１は、駆動電圧が出力されたことにより、点灯する。
【００４０】
図３および図４に示されているように、照明部４０側の接続端子４６は、装置本体側の接続端子５４と接続される。照明部４０を本装置から取り外した場合、照明操作ボタン４４で電源制御を行う。照明操作ボタン４４は、図５に示されるようにスライド式となっており、通常はＯＦＦ側であるが、照明部４０を取り外した場合は、ＯＮ側に設定することで、図２に示す論理回路４３にＣＭＯＳレベルの“Ｈｉｇｈ”となるデジタル信号を出力する。論理回路４３以降の動作については、前述した通りである。
【実施例２】
【００４１】
図７を参照すると、本発明の実施例２による地震警報装置２００は、後述する子機としての携行用受信ユニット４００（図８）と共に地震警報システムを構築するための親機として構成されている点で、実施例１と異なっている。このため、実施例１と同一または同様の部分については、実施例１における説明および図面を援用することとし、詳細な説明は省略する。
【００４２】
本発明の実施例２の地震警報装置２００は、実施例１と同様に、振動検出部２０と、照明部４０と、ＡＣアダプタ３００を介した商用電源に基づいて装置に電源を供給する電源部５０と、警報出力部３０と、制御部１０とを有している。
【００４３】
実施例１と同様に、振動検出部２０は、振動センサ２１と、アンプ２２とを備えている。照明部４０は、発光素子としてのＬＥＤ４１と、ＬＥＤ駆動回路４２と、論理回路４３と、照明操作ボタン４４と、第２のバッテリ４５と、接続端子４６とを備えている。電源部５０は、ＡＣアダプタ３００の出力プラグと嵌合するＤＣジャック５１と、バッテリ制御部５２と、第１のバッテリ５３と、接続端子５４の一部とを備えている。警報出力部３０は、メッセージ記憶部３１と、Ｄ／Ａ変換器３２と、アンプ３３と、スピーカ３４とを備えている。制御部１０は、Ａ／Ｄ変換器１２と、ＣＰＵ１１と、接続端子５４の残部とを備えている。
【００４４】
地震警報装置２００はさらに、警報送信部６０を有している。警報送信部６０は、振動検出部２０の振動センサ２１の検出信号に基づいて、警報を表す信号を無線送信するものであり、制御部１０に接続された無線送信回路６１と、アンテナ６２とを備えている。尚、警報送信部６０による警報を表す信号を無線送信の条件は、警報出力部３０による警報出力や、照明部４０による避難補助および警報としての発光と同じ震度であり、制御部１０が判断する。
【００４５】
電源部５０は、ＡＣアダプタ３００を介した商用電源から充電可能なリチウムイオン電池等の第１のバッテリ５３を備え、ＡＣアダプタ３００を介した商用電源の停電時には第１のバッテリ５３から装置に電源を供給する。
【００４６】
本地震警報装置２００においても、照明部４０は、装置本体に着脱可能であると共に、ＡＣアダプタ３００を介した商用電源から電源部５０を介して充電可能なリチウムイオン電池等の第２のバッテリ４５を備えており、照明部４０が装置本体に装着されているときは、電源部５０から電源が供給されると共に第２のバッテリ４５の充電が行われる一方、照明部４０が装置本体から取り外しされているときは、任意の操作に基づいて、第２のバッテリ４５から電源を供給することによって発光する。即ち、充電式電池を備えた懐中電灯と同様に動作する。
【実施例３】
【００４７】
図８を参照すると、本発明の実施例３による携行用受信ユニット４００は、地震警報システムの子機として、ユーザによって携行され、実施例２で説明した親機としての地震警報装置２００（図７）とは別の部屋などで用いられるユニットである。
【００４８】
携行用受信ユニット４００は、地震警報装置２００から送信された警報を表す信号を受信する警報受信部４２０と、警報受信部４２０の受信信号に基づいて、避難補助および警報として発光する第２の照明部４４０と、ユニットに電源を供給する、外部電源から充電可能な第３のバッテリ４５２を備えた第２の電源部４５０と、ユニットの動作全般を制御する制御部４１０とを有している。第２の照明部４４０は、照明操作スイッチ４４２を備えており、任意の操作に基づいて発光する。
【００４９】
尚、本ユニットにおける第３のバッテリは、専用の充電器（例えば、クレードル型の充電器であってもよい）を用意して充電することができる。あるいは、親機（地震警報装置）に、その照明部と同様の接続構造を設けることにより、親機によって充電できるようにしてもよい。もしくは、非充電式のバッテリを用い、使い切った場合に新しいバッテリと交換するようにしてもよい。
【００５０】
携行用受信ユニット４００を携行することにより、ユーザは、親機としての地震警報装置２００（図７）が設置された部屋と異なる場所に居たとしても、地震警報を得ることができると共に、夜間の地震発生時などに、電源を心配することなく携行用受信ユニット４００を携行して安全に避難したり、避難用具を探すことができる。
【産業上の利用可能性】
【００５１】
以上説明した実施例に限定されることなく、本発明は、特許請求の範囲に記載された技術範囲内であれば、種々の変形が可能であることは云うまでもない。
【符号の説明】
【００５２】
１０  制御部
１１  ＣＰＵ
１２  Ａ／Ｄ変換器
２０  振動検出部
２１  振動センサ
２２  アンプ
３０  警報出力部
３１  メッセージ記憶部
３２  Ｄ／Ａ変換器
３３  アンプ
３４  スピーカ
４０  照明部
４１  ＬＥＤ
４２  ＬＥＤ駆動回路
４３  論理回路
４４  照明操作ボタン
４５  第２のバッテリ
４６  接続端子
５０  電源部
５１  ＤＣジャック
５２  バッテリ制御部
５３  第１のバッテリ
５４  接続端子
６０  警報送信部
６１  無線送信回路
６２  アンテナ
１００、２００  地震警報装置
３００  ＡＣアダプタ
４００  携行用受信ユニット
４１０  第２の制御部
４２０  警報受信部
４４０  第２の照明部
４５０  第２の電源部
４５２  第３のバッテリ
【図１】
2014238356.tif 000003
【図２】
2014238356.tif 000004
【図３】
2014238356.tif 000005
【図４】
2014238356.tif 000006
【図５】
2014238356.tif 000007
【図６】
2014238356.tif 000008
【図７】
2014238356.tif 000009
【図８】
2014238356.tif 000010